(57)【要約】【課題】  多数同時に使用するディスプレイの輝度やコントラスト設定等を保持し、各利用者が設定変更することを防止できるようにした表示管理システム、および表示装置を提供する。【解決手段】  ディスプレイ４は、接続されている端末ＰＣ３（またはネットワーク接続された管理用ＰＣ１）から画面表示機能のロックを指示する信号を受信する。ディスプレイ４の制御部１２は、内蔵ＲＡＭに展開しているロック情報をロック状態とする。ユーザが操作部１４から画面表示機能を変更する操作をしたとき、内蔵ＲＡＭに展開しているロック情報を読み出し、これがロック状態の場合は、画面表示機能の変更を行わない。【選択図】  図２
2006308658.tif 000002
【特許請求の範囲】
【請求項１】
管理用装置と、ネットワークを介して管理用装置に接続される端末装置と、端末装置に接続される表示装置と、からなる表示管理システムであって、
前記管理用装置は、端末装置を制御する制御情報を送信する制御情報送信手段を備え、
前記端末装置は、前記管理用装置から受信した制御情報に基づいて、接続されている表示装置に各種設定の変更を禁止するロック情報と、変更禁止を解除するアンロック情報と、を送信するロック情報送信手段を備え、
前記表示装置は、ユーザが各種設定を変更する操作を行う操作手段と、
前記端末装置から送信されてくるロック情報、またはアンロック情報を記憶する記憶手段と、
操作手段の操作がなされたときに、前記記憶手段にアンロック情報が記憶されていれば前記操作に応じて各種設定の変更を行い、ロック情報が記憶されていれば前記操作に応じた各種設定の変更を行わない表示制御手段と、を備えたことを特徴とする表示管理システム。
【請求項２】
端末装置と、端末装置に接続される表示装置と、からなる表示管理システムであって、
前記端末装置は、接続されている表示装置に各種設定の変更を禁止するロック情報と、変更禁止を解除するアンロック情報と、を送信するロック情報送信手段を備え、
前記表示装置は、ユーザが各種設定を変更する操作を行う操作手段と、
前記端末装置から送信されてくるロック情報、またはアンロック情報を記憶する記憶手段と、
操作手段の操作がなされたときに、前記記憶手段にアンロック情報が記憶されていれば前記操作に応じて各種設定の変更を行い、ロック情報が記憶されていれば前記操作に応じた各種設定の変更を行わない表示制御手段と、を備えたことを特徴とする表示管理システム。
【請求項３】
前記記憶手段は、各種設定の変更を禁止するロック情報の記憶を保持する期限を示すロック保持時間を記憶し、
前記表示制御手段は、前記記憶手段にロック情報を記憶してから、前記記憶手段に記憶されているロック保持時間が経過すると、ロック情報をアンロック情報に変更する請求項１、または請求項２に記載の表示管理システム。
【請求項４】
前記端末装置に、前記表示装置の記憶手段に記憶されているロック保持時間を変更する保持時間変更情報を送信する時間変更情報送信手段を設け、
前記表示装置の表示制御手段は、受信した保持時間変更情報に基づいて前記記憶手段に記憶されているロック保持時間を変更する請求項３に記載の表示管理システム。
【請求項５】
前記記憶手段は、各種設定の変更禁止状態を示すメッセージデータをさらに記憶し、
前記表示制御手段は、前記操作手段の操作がなされたときに、前記記憶手段にロック情報が記憶されていれば、前記記憶手段に記憶されているメッセージデータを画面上に合成表示する請求項１乃至請求項４のいずれかに記載の表示管理システム。
【請求項６】
前記端末装置に、前記表示装置の記憶手段に記憶されているメッセージデータを変更するメッセージ変更情報を送信するメッセージ変更情報送信手段を設け、
前記表示装置の表示制御手段は、受信したメッセージ変更情報に基づいて前記記憶手段に記憶されているメッセージデータを変更する請求項５に記載の表示管理システム。
【請求項７】
端末装置と接続されて情報を受信する表示装置であって、
ユーザが各種設定を変更する操作を行う操作手段と、
前記端末装置から送信されてくる指示情報を記憶する記憶手段と、
前記操作手段の操作に応じて各種設定の変更を行う表示制御手段と、
を備え、
前記表示制御手段は、前記端末装置から受信した指示情報に応じて、前記記憶手段に各種設定の変更を禁止するロック情報、または変更禁止を解除するアンロック情報を記憶させ、
操作手段の操作がなされたときに、前記記憶手段を読み出して、ロック情報が記憶されていれば前記操作に応じた各種設定の変更を行わないことを特徴とする表示装置。
【請求項８】
前記記憶手段は、各種設定の変更を禁止するロック情報の記憶を保持する期限を示すロック保持時間を記憶し、
前記表示制御手段は、前記記憶手段にロック情報を記憶してから、前記記憶手段に記憶されているロック保持時間が経過すると、ロック情報をアンロック情報に変更する請求項７に記載の表示装置。
【請求項９】
前記表示制御手段は、端末装置から前記表示装置の記憶手段に記憶されているロック保持時間を変更する保持時間変更情報を受信し、
受信した保持時間変更情報に基づいて前記記憶手段に記憶されているロック保持時間を変更する請求項８に記載の表示装置。
【請求項１０】
前記記憶手段は、各種設定の変更禁止状態を示すメッセージデータをさらに記憶し、
前記表示制御手段は、前記操作手段の操作がなされたときに、前記記憶手段にロック情報が記憶されていれば、前記記憶手段に記憶されているメッセージデータを画面上に合成表示する請求項７、請求項８、または請求項９に記載の表示装置。
【請求項１１】
前記表示制御手段は、端末装置から前記表示装置の記憶手段に記憶されているメッセージデータを変更するメッセージ変更情報を受信し、
受信したメッセージ変更情報に基づいて前記記憶手段に記憶されているメッセージデータを変更する請求項１０に記載の表示装置。
【発明の詳細な説明】
【技術分野】
【０００１】
本発明はディスプレイの各種設定を保持できるようにした表示管理システム、および表示装置に関する。
【背景技術】
【０００２】
パーソナルコンピュータ等の情報処理装置に使用される一般的なディスプレイは、輝度、コントラスト、画面表示位置、色温度等の画面表示機能を利用者が任意に設定して変更するように構成されている。
【０００３】
すなわち、ディスプレイの前面には、輝度やコントラストを調整するボタン等が設けられており、利用者がこれを手動で操作して見やすい状態に設定変更して使用することを想定している。
【０００４】
しかしながら、学校や企業等においては、同一のディスプレイを多数同時に使用することがあり（パーソナルコンピュータ操作の授業など）、このような場合においては、輝度やコントラストを全ディスプレイで同一設定にして保持することが望まれている。しかし学校等においては、生徒がディスプレイ前面のボタンを興味本位で操作する可能性が高く、誤って画面表示機能が変更されてしまう可能性が高い。
【０００５】
また、販売店等に多数のディスプレイを展示する場合等においては、輝度やコントラストを最良の状態に設定して展示することが望まれているが、悪意を有する者が表示品質を下げるために意図的に画面表示機能を変更する可能性がある。
【０００６】
このような事情に対し、ディスプレイに設定変更を防止するためのロック機能を備えたもの等が考えられている。また、設定変更を防止するために、画面調整用の操作部を隠しスイッチとするものが提案されている（例えば、特許文献１参照）。
【特許文献１】特開２０００−２４２４３２
【発明の開示】
【発明が解決しようとする課題】
【０００７】
ロック機能を備えたディスプレイは、特殊な操作（あるボタンを押下しながら電源をオンする等）をすることで、調整した画面表示機能を他の利用者に変更できないよう、設定情報を保持したりボタンを操作してもこれに応じた設定変更を行わないようにしたりするものである。
【０００８】
また、特許文献１に記載の表示装置（ディスプレイ）は、画面調整用の操作部を透明タッチパネル等の隠しスイッチにすることにより、他の利用者に画面表示機能が変更されることを防止したものである。
【０００９】
しかし、ロック解除方法が簡単（ボタンを押下する等）であれば、学校等においては生徒がボタンを興味本位で多様の操作をする可能性が有り、無意識にこのスイッチを操作して画面表示機能が変更されてしまう可能性を有していた。同様に、透明タッチパネル等の隠しスイッチについても生徒が興味本位で画面に触れる可能性が有り、無意識にこのスイッチを操作して画面表示機能が変更されてしまう可能性を有していた。
【００１０】
また、販売店等においても、ロック解除方法が簡単であれば悪意を有する者がこのようなロックを解除することができ、またマニュアル等にはロックを解除する方法が記載されているので、依然として他の者に画面表示機能を変更されてしまう可能性を有していた。透明タッチパネル等の隠しスイッチについてもマニュアル等にはその所在が記載されているので、依然として他の者に画面表示機能を変更されてしまう可能性を有していた。
【００１１】
また、多数のディスプレイを同時多数に使用する場合、１台ずつロックすることは管理者にとって煩わしいという問題があった。
【００１２】
本発明は、多数同時に使用するディスプレイの輝度やコントラスト設定を保持し、各利用者が設定変更することを防止できるようにした表示管理システム、および表示装置を提供することを目的とする。
【課題を解決するための手段】
【００１３】
請求項１に記載の発明は、管理用装置と、ネットワークを介して管理用装置に接続される端末装置と、端末装置に接続される表示装置と、からなる表示管理システムであって、前記管理用装置は、端末装置を制御する制御情報を送信する制御情報送信手段を備え、前記端末装置は、前記管理用装置から受信した制御情報に基づいて、接続されている表示装置に各種設定の変更を禁止するロック情報と、変更禁止を解除するアンロック情報と、を送信するロック情報送信手段を備え、前記表示装置は、ユーザが各種設定を変更する操作を行う操作手段と、前記端末装置から送信されてくるロック情報、またはアンロック情報を記憶する記憶手段と、操作手段の操作がなされたときに、前記記憶手段にアンロック情報が記憶されていれば前記操作に応じて各種設定の変更を行い、ロック情報が記憶されていれば前記操作に応じた各種設定の変更を行わない表示制御手段と、を備えたことを特徴とする。
【００１４】
この発明では、端末装置（端末ＰＣ）から表示装置（ディスプレイ）にロック、アンロックを指示する情報を送信するように、管理用装置（サーバＰＣ）が制御情報を送信する。表示装置は、ロックを指示する情報を受信すると各種設定（例えば画面表示機能）の変更を禁止状態とし、アンロックを指示する情報を受信すると画面表示機能の変更禁止状態を解除する。ロック状態、アンロック状態は表示装置内蔵のメモリに記憶され、電源が遮断されるまでその状態を保持する。
【００１５】
請求項２に記載の発明は、端末装置と、端末装置に接続される表示装置と、からなる表示管理システムであって、前記端末装置は、接続されている表示装置に各種設定の変更を禁止するロック情報と、変更禁止を解除するアンロック情報と、を送信するロック情報送信手段を備え、前記表示装置は、ユーザが各種設定を変更する操作を行う操作手段と、前記端末装置から送信されてくるロック情報、またはアンロック情報を記憶する記憶手段と、操作手段の操作がなされたときに、前記記憶手段にアンロック情報が記憶されていれば前記操作に応じて各種設定の変更を行い、ロック情報が記憶されていれば前記操作に応じた各種設定の変更を行わない表示制御手段と、を備えたことを特徴とする。
【００１６】
この発明では、端末装置（端末ＰＣ）から表示装置（ディスプレイ）にロック、アンロックを指示する情報を送信する。表示装置は、ロックを指示する情報を受信すると各種設定（例えば画面表示機能）の変更を禁止状態とし、アンロックを指示する情報を受信すると画面表示機能の変更禁止状態を解除する。ロック状態、アンロック状態は表示装置内蔵のメモリに記憶され、電源が遮断されるまでその状態を保持する。
【００１７】
請求項３に記載の発明は、上記発明において、前記記憶手段は、各種設定の変更を禁止するロック情報の記憶を保持する期限を示すロック保持時間を記憶し、前記表示制御手段は、前記記憶手段にロック情報を記憶してから、前記記憶手段に記憶されているロック保持時間が経過すると、ロック情報をアンロック情報に変更することを特徴とする。
【００１８】
この発明では、画面表示機能の変更を禁止状態としてから所定の時間経過後に禁止状態を解除する。禁止状態を保持する時間は表示装置内蔵のメモリに記憶される。
【００１９】
請求項４に記載の発明は、上記発明において、前記端末装置に、前記表示装置の記憶手段に記憶されているロック保持時間を変更する保持時間変更情報を送信する時間変更情報送信手段を設け、前記表示装置の表示制御手段は、受信した保持時間変更情報に基づいて前記記憶手段に記憶されているロック保持時間を変更することを特徴とする。
【００２０】
この発明では、端末装置から禁止状態を解除する時間を変更する情報を送信し、表示装置内蔵のメモリに記憶されている禁止状態を保持する時間を変更する。
【００２１】
請求項５に記載の発明は、上記発明において、前記記憶手段は、各種設定の変更禁止状態を示すメッセージデータをさらに記憶し、前記表示制御手段は、前記操作手段の操作がなされたときに、前記記憶手段にロック情報が記憶されていれば、前記記憶手段に記憶されているメッセージデータを画面上に合成表示することを特徴とする。
【００２２】
この発明では、表示装置内蔵のメモリにメッセージデータを記憶し、このメッセージデータを画面上に表示する。例えばロック状態であることを示す内容を表示する。
【００２３】
請求項６に記載の発明は、上記発明において、前記端末装置に、前記表示装置の記憶手段に記憶されているメッセージデータを変更するメッセージ変更情報を送信するメッセージ変更情報送信手段を設け、前記表示装置の表示制御手段は、受信したメッセージ変更情報に基づいて前記記憶手段に記憶されているメッセージデータを変更することを特徴とする。
【００２４】
この発明では、端末装置からメッセージデータを変更する情報を送信し、表示装置内蔵のメモリに記憶されているメッセージデータを変更する。
【００２５】
請求項７に記載の発明は、端末装置と接続されて情報を受信する表示装置であって、
ユーザが各種設定を変更する操作を行う操作手段と、前記端末装置から送信されてくる指示情報を記憶する記憶手段と、前記操作手段の操作に応じて各種設定の変更を行う表示制御手段と、を備え、前記表示制御手段は、前記端末装置から受信した指示情報に応じて、前記記憶手段に各種設定の変更を禁止するロック情報、または変更禁止を解除するアンロック情報を記憶させ、操作手段の操作がなされたときに、前記記憶手段を読み出して、ロック情報が記憶されていれば前記操作に応じた各種設定の変更を行わないことを特徴とする。
【００２６】
この発明では、端末装置からロック、アンロックを指示する情報を受信する。表示装置は、ロックを指示する情報を受信すると各種設定（例えば画面表示機能）の変更を禁止状態とし、アンロックを指示する情報を受信すると画面表示機能の変更禁止状態を解除する。ロック状態、アンロック状態は表示装置内蔵のメモリに記憶され、電源が遮断されるまでその状態を保持する。
【００２７】
請求項８に記載の発明は、上記発明において、前記記憶手段は、各種設定の変更を禁止するロック情報の記憶を保持する期限を示すロック保持時間を記憶し、前記表示制御手段は、前記記憶手段にロック情報を記憶してから、前記記憶手段に記憶されているロック保持時間が経過すると、ロック情報をアンロック情報に変更することを特徴とする。
【００２８】
この発明では、画面表示機能の変更を禁止状態としてから所定の時間経過後に禁止状態を解除する。禁止状態を保持する時間は内蔵のメモリに記憶される。
【００２９】
請求項９に記載の発明は、上記発明において、前記表示制御手段は、端末装置から前記表示装置の記憶手段に記憶されているロック保持時間を変更する保持時間変更情報を受信し、受信した保持時間変更情報に基づいて前記記憶手段に記憶されているロック保持時間を変更することを特徴とする。
【００３０】
この発明では、禁止状態を解除する時間を端末装置、または管理用装置からの指示に従って変更する。
【００３１】
請求項１０に記載の発明は、上記発明において、前記記憶手段は、各種設定の変更禁止状態を示すメッセージデータをさらに記憶し、前記表示制御手段は、前記操作手段の操作がなされたときに、前記記憶手段にロック情報が記憶されていれば、前記記憶手段に記憶されているメッセージデータを画面上に合成表示することを特徴とする。
【００３２】
この発明では、内蔵のメモリにメッセージデータを記憶し、このメッセージデータを画面上に表示する。例えばロック状態であることを示す内容を表示する。
【００３３】
請求項１１に記載の発明は、上記発明において、前記表示制御手段は、端末装置から前記表示装置の記憶手段に記憶されているメッセージデータを変更するメッセージ変更情報を受信し、受信したメッセージ変更情報に基づいて前記記憶手段に記憶されているメッセージデータを変更することを特徴とする。
【００３４】
この発明では、端末装置からメッセージデータを変更する情報を端末装置、または管理用装置から受信し、メモリに記憶されているメッセージデータを変更する。
【発明の効果】
【００３５】
以上のように、この発明によれば、表示装置を接続している端末装置、またはネットワーク接続している管理用装置から輝度やコントラスト等の画面表示機能の変更を禁止し、端末装置または管理用装置からしかロックを解除できない構成としたことで、各利用者がディスプレイのボタン等を操作してもロック解除することができず、設定変更することを防止できる。
【００３６】
また、管理者が多数のディスプレイを１台ずつロックする必要なく、各利用者が設定変更することを防止できる。
【００３７】
また、ロック状態であることを示す内容のメッセージを画面上に表示するので、各利用者は画面表示機能がロック状態であることを知ることができ、ディスプレイの故障等と間違えることなく管理者へ無駄な問い合わせをすることを防止できる。
【００３８】
また、管理者の連絡先やロック理由などを示す内容を画面上に表示することができ、この内容は管理者が任意に変更可能としたため、ロック状態に対する各利用者の誤解を解いたりすることができ、アンロックする際にも管理者によって柔軟な対応をすることができる。
【発明を実施するための最良の形態】
【００３９】
この実施形態の表示管理システムでは、パーソナルコンピュータ（以下、ＰＣと言う。）とディスプレイを備えたＰＣシステムで、ＰＣからディスプレイに対して制御信号を送信することによって、輝度やコントラスト等の画面表示機能の変更を禁止することができる。また、複数のＰＣシステムに管理用ＰＣを接続し、管理用ＰＣから各ＰＣに制御指示を行うことで全ＰＣシステムのディスプレイを一括して表示機能の変更を禁止する指示を行う。これにより、ディスプレイの前面等に設けた輝度やコントラストを調整するボタンから設定を変更することができなくなり、管理者が１台ずつディスプレイをロックする必要がなく、多数同時に使用するディスプレイの輝度やコントラスト設定を保持し、各利用者が設定変更することを防止できるものである。
以下、本発明の実施形態の表示管理システムについて図を用いて詳細に説明する。
【００４０】
図１は、本発明の実施形態に係る表示管理システムの構成を示すブロック図である。この表示管理システムは、管理用ＰＣ１、ＬＡＮ２、端末ＰＣ３、および各端末ＰＣ３に接続されている複数のディスプレイ４を備えている。このように管理用ＰＣ１、複数の端末ＰＣ３、および各端末ＰＣ３に接続されているディスプレイ４により構成されるシステムとしては、学校の教育現場（ＰＣ設置教室）等が想定される。
【００４１】
管理用ＰＣ１は、ＬＡＮ２を介して各端末ＰＣ３に接続しており、各端末ＰＣ３とデータ送受信を行うことができる。ＬＡＮ２は、有線であってもよいし、無線であってもよい。管理用ＰＣ１と各端末ＰＣ３はＴＣＰ／ＩＰによりデータ送受信を行う。
【００４２】
端末ＰＣ３は、ディスプレイ４とアナログ（ＲＧＢ）接続ケーブルやデジタル（ＤＶＩ）ケーブル等の汎用映像信号ケーブルで接続している。端末ＰＣ３は、ディスプレイ４に画面表示のための映像信号とディスプレイ４を制御するための制御信号を送信する。制御信号は、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で定められた規格であるＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）によりコントロールコマンドとして送信する。
【００４３】
ディスプレイ４は、ＰＣ用のディスプレイであり、例えばＬＣＤ、ＣＲＴ等により構成される。本実施形態においては、ＬＣＤにより構成されるディスプレイ４について説明する。図２は、ディスプレイ４を詳細に示すブロック図である。同図に示すように、このディスプレイ４は、端末ＰＣ３とデータ送受信を行うインタフェース１０、インタフェース１０を介して端末ＰＣ３から受信した映像信号から画面表示の処理をする画像処理部１１、インタフェース１０を介して端末ＰＣ３から受信した制御信号に基づいて種々の動作を行い、ディスプレイ４の各機能部を制御する制御部１２、記憶部であるＲＯＭ１３、ユーザが画面表示機能を変更する操作を行う操作部１４、画像処理部の制御により画面表示を行う液晶表示パネルである表示部１５、家庭内のコンセントからディスプレイ４に電源供給を行う電源ユニット１６、液晶表示パネルを照らすバックライト１７、入力された音声信号を処理（音量制御）する音声処理部１８、および入力音声信号から音声を発音するスピーカ１９を備えている。
【００４４】
インタフェース１０は、アナログ映像入力端子（Ｄ−ＳＵＢ）やデジタルＤＶＩ入力端子により構成される汎用の映像信号入力インタフェースである。
【００４５】
画像処理部１１には、インタフェース１０、制御部１２、および表示部１５が接続されている。画像処理部１１は、インタフェース１０を介して端末ＰＣ３から受信した映像信号に基づいて、表示部１５の液晶パネルを駆動する。また、画像処理部１１は必要に応じてＡ／Ｄコンバータを内蔵しており、アナログ映像信号を受信した場合にデジタル信号に変換し、処理を行うものである。
【００４６】
制御部１２には、インタフェース１０、画像処理部１１、ＲＯＭ１３、操作部１４、電源ユニット１６、バックライト１７、および音声処理部１８が接続されている。制御部１２はＲＡＭを内蔵したマイコンにより構成される。制御部１２は、ＲＯＭ１３に記憶されている各種設定を読み出し、内蔵するＲＡＭに展開して、接続されている画像処理部１１、電源ユニット１６、バックライト１７、および音声処理部１８の制御を行う。ユーザが最初に電源コンセントを接続したときはＲＯＭ１３に記憶されているデフォルトの設定情報を読みし、ＲＡＭに展開する。
【００４７】
制御部１２は、ＲＡＭに展開した各種設定情報（コントラスト設定情報、色温度設定情報等）に応じて画像処理部１１の制御を行い、表示部１５の液晶パネルのコントラスト等を設定する。また、ＲＯＭ１３に記憶されているメッセージデータ（フォント、テキストデータ等）をＲＡＭに展開し、このメッセージデータを画像処理部１１に出力する。画像処理部１１は入力されたメッセージデータをＯＳＤ上に合成して表示部１５に表示する。これはディスプレイ４の表示部１５に表示されるＯＳＤメニュー等である。
【００４８】
同様に制御部１２は、ＲＡＭに展開した輝度設定情報に応じてバックライト１７の輝度を設定する。バックライト１７は、設定された輝度で液晶パネルを照らす。このようにして制御部１２は、ディスプレイ４の画面表示機能のコントロールを行う。また、制御部１２は、電源ユニット１６を制御してディスプレイ４の電源オン／オフをし、音声処理部１８を制御して音量等の設定を行う。音声処理部１８は設定された音量で音声信号を出力し、スピーカ１９から音声を発音する。なお、ここで言う電源オフは、ディスプレイ４の電源供給を遮断すること（例えば電源コンセントを抜いて電源供給を遮断すること）ではなく、バックライト１７の消灯や、表示部１５の駆動停止を意味するもの（スタンバイ状態）である。
【００４９】
操作部１４は、ユーザが画面表示機能を変更する操作等を行うものであり、ユーザの操作に応じて操作情報を制御部１２に入力する。制御部１２は、操作部１４から入力されるユーザの操作情報に応じてＲＡＭの情報を書き換える。制御部１２は、書き換えたＲＡＭの内容で画像処理部１１、電源ユニット１６、バックライト１７、および音声処理部１８の制御を行う。例えば、ユーザが輝度を上げるように変更操作を行った場合、ＲＡＭに展開している輝度設定情報を書き換え、この内容に応じてバックライト１７の輝度を変更する。具体的には、ユーザが操作部１４を操作すると、制御部１２はＯＳＤメニューを表示するデータを画像処理部１１に送信し、画像処理部１１は表示部１５にＯＳＤメニューを表示する。ユーザは、表示されたＯＳＤメニューを参照して操作部１４を操作し、輝度設定を変更する操作を行う。
【００５０】
このように、ユーザは操作部１４を操作することで、輝度やコントラスト等を変更することができる。また、変更したＲＡＭの内容は、ＲＯＭ１３に出力して保存することもできる。つまり、ＲＯＭ１３は書き換え可能なＥＥＰＲＯＭ等で構成される。
【００５１】
次に、端末ＰＣ３が送信する制御信号に応じてディスプレイ４が動作する場合について説明する。
制御部１２は、インタフェース１０を介して端末ＰＣ３が送信する制御信号（ＤＤＣ／ＣＩ）に基づいて、接続されている画像処理部１１、電源ユニット１６、バックライト１７、および音声処理部１８の制御を行う。端末ＰＣ３は、このような制御信号を送信するためのソフトウェアを内蔵しており、例えばＰＣ設置教室等の管理者がソフトウェアを操作して端末ＰＣ３からディスプレイ４に制御信号を送信する。
【００５２】
制御部１２は、端末ＰＣ３から受信した制御信号に基づいてＲＡＭに展開している情報を書き換える。例えば、端末ＰＣ３からコントラスト設定情報を変更するように制御信号が送信された場合、これに応じてＲＡＭに展開しているコントラスト設定情報を書き換える。この書き換えたＲＡＭの設定情報（コントラスト設定、色温度設定名等）に応じて画像処理部１１の制御を行い、表示部１５の液晶パネルのコントラスト等を設定する。同様に、端末ＰＣ３から輝度設定情報を変更するように制御信号が送信された場合、制御部１２は、この制御信号に応じてＲＡＭに展開している輝度設定情報を書き換え、書き換えたＲＡＭの設定情報に応じてバックライト１７の輝度を設定する。また、制御部１２は、制御信号に応じてディスプレイ４の電源オン／オフ、スピーカ１９の音量等の設定も行う。このようにして端末ＰＣ３は、ＤＤＣ／ＣＩによる制御信号を送信して、ディスプレイ４の画面表示機能のコントロールを行うことができる。
【００５３】
次に、画面表示機能をロックする場合について説明する。画面表示機能をロックするとは、ユーザが操作部１４を操作しても画面表示機能を変更しない状態、または操作部１４を操作しても無視する状態（操作部１４の操作そのものを受け付けない状態）を言う。
【００５４】
管理者等が電源コンセントを接続して、ディスプレイ４が電源ユニット１６から電源供給を受けたとき、制御部１２は、画面表示機能をロックするか否かを示す情報であるロック情報をＲＯＭ１３から読み出して内蔵ＲＡＭに展開する。このロック情報には、ロック状態／アンロック状態を示す内容が書き込まれている。最初に電源供給を受けたときは必ずアンロック状態を示す内容が書き込まれる。ロック状態は操作部１４からの画面表示機能を変更する操作を受け付けない状態であり、アンロック状態は画面表示機能の変更を受け付ける通常の状態である。制御部１２は、ユーザが操作部１４を操作したとき、ＲＡＭに展開されているロック情報を読み出す。ロック情報がロック状態の場合は、画面表示機能を保持したまま変更を行わない。アンロック状態の場合は、上述したようにＲＡＭに展開している表示機能設定情報を書き換えて画面表示機能の変更を行う。
【００５５】
ロック状態のときは、上述したＯＳＤメニューの表示は行うが輝度等の画面表示機能の変更だけを受け付けないようにしてもよいし、ＯＳＤメニューも表示せずに操作部１４の操作そのものを受け付けないようにしてもよい。すなわち、操作部１４は輝度変更、コントラスト変更をするための操作子（メニューボタン、セレクトボタン、決定ボタン、ＵＰ／ＤＯＷＮボタン等）により構成されているが、ロック情報がロック状態の場合、これらの特定の操作子を使用不可（ボタンを押下する操作をしても無視する）状態としてもよい。
【００５６】
なお、最初に電源ユニット１６から電源供給を受けたときはアンロック状態を示すロック情報をＲＯＭ１３から読み出してＲＡＭに展開する。つまり、電源コンセント接続後は必ずアンロック状態となる。
【００５７】
上記のロック情報は端末ＰＣ３が制御信号を送信してロック状態／アンロック状態を切り換える。端末ＰＣ３は、接続しているディスプレイ４にロック情報を書き換える制御信号を送信する。制御部１２は、接続されている端末ＰＣ３からインタフェース１０を介してこのロック情報を変更する制御信号を受信し、これに従ってＲＡＭに展開しているロック情報をロック状態／アンロック状態に変更する。これにより、端末ＰＣ３は、ディスプレイ４の輝度やコントラスト等の画面表示機能の変更を禁止することができ、端末ＰＣ３からのみロックを解除することができる。したがって、各利用者がディスプレイのボタン等を操作してもロック解除することができず、設定変更することを防止できる。
【００５８】
なお、ロック情報は全ての画面表示機能についてのロック状態／アンロック状態を示すものであってもよいが、各項目について個別にロック状態／アンロック状態を示すものであってもよい。すなわち、ロック情報は輝度の変更を禁止する状態、コントラストの変更を禁止する状態等を示し、端末ＰＣ３はこれらのロック状態／アンロック状態を個別に変更する制御信号を送信すればよい。
【００５９】
なお、端末ＰＣ３は、ディスプレイ４をロック状態とするとき、画面表示機能をデフォルトの状態にしてからロック状態にするようにしてもよい。すなわち、ロック情報を変更する制御信号を送信する前に、制御部１２にＲＯＭ１３に記憶しているデフォルトの設定情報を読みしてＲＡＭに展開するように制御信号を送信する。
【００６０】
以上の説明は、管理者等が端末ＰＣ３内蔵のソフトウェアを操作してディスプレイ４をロック状態とする場合を示したが、管理用ＰＣ１内蔵のソフトウェアを操作して、管理用ＰＣ１が全ての端末ＰＣ３に制御指示を行うことで全ＰＣシステムのディスプレイを一括して表示機能の変更を禁止する指示を行うこともできる。
【００６１】
図１において、管理用ＰＣ１は、ネットワークを介して接続している各端末ＰＣ３に対してロック情報をロック状態／アンロック状態に変更する制御信号を送信するように指示することができる。つまり、管理用ＰＣ１は、各端末ＰＣ３を経由して全てのディスプレイ４のロック状態／アンロック状態を管理することができ、一括して画面表示機能の変更を禁止することができる。なお、各ディスプレイ毎に個別にロックすることも可能である。
【００６２】
このように、管理者等は管理用ＰＣ１内蔵のソフトウェアを操作して全てのディスプレイ４をロックすることが可能となるので、多数のディスプレイを１台ずつロックする必要なく、各利用者が設定変更することを防止できる。
【００６３】
上記ロック状態は、端末ＰＣ３（または端末ＰＣ３を経由して管理用ＰＣ１）がアンロック状態に変更する旨の制御信号を受信するまで継続するが、タイマーにより自動的にアンロック状態に変更するようにしてもよい。ＲＯＭ１３にはロック状態に変更してからこれを保持する時間を記憶しておき、制御部１２は最初に電源ユニット１６から電源供給を受けたとき（電源コンセントを接続して電源供給を受けたとき）にこの保持時間も制御部１２内蔵のＲＡＭに展開する。
【００６４】
制御部１２は、端末ＰＣ３からロック状態にする旨の制御信号を受信すると、ＲＡＭに展開しているロック情報をロック状態に変更し、ＲＡＭに展開した保持時間が経過するとロック情報をアンロック状態に変更する。このようなタイマーによるロック解除の動作をするか否かは、制御部１２内蔵ＲＡＭにフラグ（タイマーＯＮ／ＯＦＦ）として記憶しておき、端末ＰＣ３が制御部１２に、このフラグをＯＮ／ＯＦＦする制御信号を送信する。なお、このロック状態保持時間は、端末ＰＣ３が保持時間の変更制御信号を送信することで変更することも可能である。
【００６５】
また、制御部１２は、ＲＯＭ１３に記憶されているメッセージデータ（ＯＳＤメニュー等）をＲＡＭに展開し、このメッセージデータを画像処理部１１に出力してＯＳＤ表示を行うが、上記ロック状態のとき、ユーザが操作部１４から画面表示機能を変更する操作を行うと、画面表示機能の変更禁止状態を示すメッセージデータを表示するようにする。つまり、アンロック状態の場合に表示するメッセージとは異なるメッセージを表示する。例えば、ロックしている理由、ロックを保持する時間、管理者の連絡先、ロック解除方法（ロックを解除するにはＰＣから解除操作をする必要がある旨）を示す内容等である。これらのメッセージはＲＯＭ１３に記憶しておくものであるが、ＲＯＭ１３にあらかじめ複数種類のメッセージ内容（テキストデータ）を記憶しておき、端末ＰＣ３が表示内容を切り換える制御信号を送信して、変更するようにしてもよい。
【００６６】
また、端末ＰＣ３がこのメッセージ内容を変更する制御信号（テキストデータ書き換え制御信号）を送信して、制御部１２がＲＡＭに展開しているテキストデータを書き換えるようにしてもよい。このようにすることで、端末ＰＣ３からＯＳＤ表示の内容を切り換えることができる。
【００６７】
なお、端末ＰＣ３と管理用ＰＣ１は制御部１２のＲＡＭに展開している内容を参照することもできる。端末ＰＣ３はインタフェース１０を介して制御部１２にＲＡＭに展開している内容を読み出しできるようにするための制御信号を送信する。制御部１２は、これに従いＲＡＭの内容をインタフェース１０に出力する。端末ＰＣ３はインタフェース１０に出力されたＲＡＭの内容を読み出す。このように、端末ＰＣ３はディスプレイ４の現在の設定を取得することができ、管理用ＰＣ１は各端末ＰＣ３からディスプレイ４の現在の設定を取得してシステム内の設定を管理することができる。
【００６８】
次に、表示管理システムの動作について詳細に説明する。図３は、ディスプレイ４の動作を示すフローチャートである。電源ユニット１６から電源供給を受けたとき（電源コンセントを接続して電源供給を開始したとき）にこの動作を開始する。まず、制御部１２は、ＲＯＭ１３に記憶されている各種設定情報（デフォルトの設定情報）を読み出す（ｓ１０）。各種設定は、輝度やコントラスト等の画面表示機能、ロック情報、タイマー情報、およびメッセージデータである。読み出した各種設定は制御部１２内蔵のＲＡＭに書き込む（ｓ１１）。制御部１２はＲＡＭに書き込んだ内容に従って、画像処理部１１、バックライト１７等の設定変更を行う（ｓ１２）。
【００６９】
その後、端末ＰＣ３からＲＡＭの内容を変更する制御信号を受信したか否かを判断する（ｓ１３）。ＲＡＭの内容を変更する制御信号を受信した場合は、これに従って各情報を変更して（ｓ１３→ｓ１４）、ＲＡＭに書き込む処理から繰り返す（ｓ１４→ｓ１１）。端末ＰＣ３からは画面表示機能の変更を指示する制御信号、メッセージデータの切り換えまたは書き換え制御信号、タイマー情報を変更する制御信号、ロック情報の内容を変更する制御信号等が送信される。ロック情報の内容を変更する制御信号を受信した場合には、ロック情報をロック状態／アンロック状態に変更してＲＡＭに書き込む。また、上述したように、全ての画面表示機能について一括してロック状態／アンロック状態を変更するようにしてもよいが、各項目について個別にロック状態／アンロック状態を変更するようにしてもよい。なお、これらの制御信号はディスプレイ４に直接接続している端末ＰＣ３が送信するが、端末ＰＣ３にネットワーク接続される管理用ＰＣ１が、端末ＰＣ３にこれらの制御信号を送信させるように指示することが可能である。
【００７０】
ＲＡＭの内容を変更する制御信号を受信していなければ、操作部１４から操作情報が入力されたか否かを判断し（ｓ１５）、操作部１４から操作情報が入力、すなわちユーザから画面表示機能を変更する操作を受け付けた場合、その操作項目がロック状態であるか否かを判断する（ｓ１６）。ロック状態でなければ画面表示機能を変更し（ｓ１６→ｓ１７）、ＲＡＭに書き込む処理から繰り返す（ｓ１７→ｓ１１）。ロック状態であればロック状態時のメッセージデータを読み出してＯＳＤ表示する（ｓ１６→ｓ１８）。
【００７１】
その後、ＲＡＭに展開しているタイマー情報を読み出してロック状態に変更してから保持時間が経過しているか否か、つまりタイマー割り込みがあるか否かを判断する（ｓ１９）。また、ｓ１４で操作部１４から操作情報が入力されていなければ、タイマー割り込み判断処理を行う（ｓ１５→ｓ１９）。ＲＡＭに展開しているタイマー情報、すなわちロック状態を保持する時間内であれば変更制御信号の受信判断から処理を繰り返す（ｓ１９→ｓ１３）。ロック状態を保持する時間が経過していればｓ１４でロック情報をアンロック状態に変更して（ｓ１９→ｓ１４）、ＲＡＭに書き込む処理から繰り返す（ｓ１４→ｓ１１）。
【００７２】
ＲＡＭに書き込まれている内容は、電源コンセントを抜いて電源供給を遮断すると消去され、以上の動作を最初から繰り返すことが可能である。すなわち、電源コンセントを抜くとロック状態も強制的に解除される。一方で、電源コンセントを抜くまでは電源をオフ（バックライト消灯等）してもＲＡＭの内容は保持され、ロック状態も保持される。
【００７３】
なお、本実施形態の表示管理システムにおいては、端末ＰＣ３が制御信号を送信して画面表示機能をロックする例を示したが、無論、従来のディスプレイのようにディスプレイ４の操作部１４を用いて画面表示機能をロックすることも可能である。
【００７４】
以上のようにして、本実施形態の表示管理システムは、ディスプレイ４を接続している端末ＰＣ３が制御信号を送信し、輝度やコントラスト等の画面表示機能の変更を禁止することができる。また、各端末ＰＣ３を管理する管理用ＰＣ１から一括して表示機能の変更を禁止することができる。管理用ＰＣ１、端末ＰＣ３が送信した制御信号によって画面表示機能の変更を禁止するので、ディスプレイ４の前面等に設けた輝度やコントラストを調整するボタンから設定を変更することができなくなり、管理者が１台ずつロックする必要がなく、多数同時に使用するディスプレイ４の輝度やコントラスト設定を保持し、各利用者が設定変更することを防止できる。
【００７５】
なお、本実施形態では映像信号ケーブルを用いてＤＤＣ／ＣＩ規格に準拠したコマンド送受信により端末ＰＣ３が制御信号を送信する例を示したが、これに限るものではない。例えばＵＳＢや専用のインタフェースを用いて、制御信号を送信するようにしてもよい。無論、ディスプレイとしてはＬＣＤに限るものではなく、ＣＲＴやプロジェクタ等の他のディスプレイであってもよい。
【図面の簡単な説明】
【００７６】
【図１】本発明の表示管理システムのブロック図
【図２】ディスプレイのブロック図
【図３】ディスプレイの動作を示すフローチャート
【符号の説明】
【００７７】
１−管理用ＰＣ
２−ＬＡＮ
３−端末ＰＣ
４−ディスプレイ
１０−インタフェース
１１−画像処理部
１２−制御部
１３−ＲＯＭ
１４−操作部
１７−バックライト
【図１】
2006308658.tif 000003
【図２】
2006308658.tif 000004
【図３】
2006308658.tif 000005